(57)【要約】【課題】コンロ本体の変形による影響を受けにくい操作ユニットを備えたコンロを提供する。【解決手段】ビルトインコンロ１のコンロ本体２に組み込まれた操作ユニット２５は、操作パネル４５を出退可能に保持する操作カバー４０を備えている。操作カバー４０は、上カバー５０と、その上カバー５０の底面側に取り付けられる板状の下カバー６０とからなる。上カバー５０の右側壁及び左側壁の下部に設けられた爪部５５を、下カバー６０に設けられた係止孔６４に差し込んで下方に突出させている。これら爪部５５の先端がコンロ本体２の底面４の上面に接触する。よって、コンロ本体２の底面４が撓んで変形しても、その撓みが操作ユニット２５の操作カバー４０に与える影響を小さくできる。【選択図】図３
2011052840.tif 000002
【特許請求の範囲】
【請求項１】
コンロ本体と、当該コンロ本体の内側に設置され、前記コンロ本体に設けられたバーナの操作を行うための操作ユニットとを備えたコンロであって、
前記操作ユニットは、
前面が開口する箱状の操作カバーと、
当該操作カバーの前面から出退可能に保持された略直方体状の操作パネルと
を備え、
前記操作カバーは、
前面及び底面が開口する箱状の上カバーと、
当該上カバーの底面側に取り付けられる板状の下カバーと
から構成され、
前記上カバーの左右の両側壁の下部には、下方に突出する爪部が設けられ、
前記下カバーの前記爪部に対応する位置には、前記爪部が上方から下方に向けて挿入される孔部が設けられ、
前記操作ユニットが前記コンロ本体の内側に設置された状態では、前記孔部から下方に突出する前記爪部が、前記コンロ本体の内側の底面に接触していることを特徴とするコンロ。
【請求項２】
前記爪部には、前記孔部の内縁部に係止する係止部が設けられたことを特徴とする請求項１に記載のコンロ。
【請求項３】
前記下カバーには、前記操作パネルが出退する方向に延設されたガイド部が設けられ、
前記操作パネルの底面には、前記ガイド部にガイドされる被ガイド部が設けられたことを特徴とする請求項１又は２に記載のコンロ。
【請求項４】
前記下カバーには、前記操作パネルを前方に押し出すための弾性部材を収納するための溝部が設けられたことを特徴とする請求項１乃至３の何れかに記載のコンロ。
【発明の詳細な説明】
【技術分野】
【０００１】
本発明は、コンロ本体に設けられたバーナの操作を行うための操作ユニットを備えたコンロに関する。
【背景技術】
【０００２】
従来、バーナを操作するための操作パネルを備えたガスコンロが一般的に利用されている。例えば、コンロ本体に組み込まれた収納箱（操作カバー）から操作盤（操作パネル）が出退可能に保持されたグリル付きドロップイン式コンロが知られている（例えば、特許文献１参照）。このコンロでは、収納箱に収納された状態の操作盤の前面を軽く押すと、係止機構による係止が解除されて、操作盤が前方に移動するようになっている。
【先行技術文献】
【特許文献】
【０００３】
【特許文献１】特開２００６−３４９１９４号公報
【発明の概要】
【発明が解決しようとする課題】
【０００４】
しかしながら、特許文献１に記載のグリル付きドロップイン式コンロでは、収納箱がコンロ本体と一体化して形成されているため、コンロ本体に板金特有の撓みが生じていると、それに伴って収納箱が変形してしまい、操作盤の出し入れに不具合を生じるという問題点があった。また、収納箱をコンロ本体の底面に載置して取り付けたものもあるが、この場合も、コンロ本体の撓み等による影響を受けるため、同様の不具合を生じていた。
【０００５】
本発明は、上記課題を解決するためになされたものであり、コンロ本体の変形による影響を受けにくい操作ユニットを備えたコンロを提供することを目的とする。
【課題を解決するための手段】
【０００６】
本発明の請求項１に係るコンロは、コンロ本体と、当該コンロ本体の内側に設置され、前記コンロ本体に設けられたバーナの操作を行うための操作ユニットとを備えたコンロであって、前記操作ユニットは、前面が開口する箱状の操作カバーと、当該操作カバーの前面から出退可能に保持された略直方体状の操作パネルとを備え、前記操作カバーは、前面及び底面が開口する箱状の上カバーと、当該上カバーの底面側に取り付けられる板状の下カバーとから構成され、前記上カバーの左右の両側壁の下部には、下方に突出する爪部が設けられ、前記下カバーの前記爪部に対応する位置には、前記爪部が上方から下方に向けて挿入される孔部が設けられ、前記操作ユニットが前記コンロ本体の内側に設置された状態では、前記孔部から下方に突出する前記爪部が、前記コンロ本体の内側の底面に接触していることを特徴とする。
【０００７】
また、請求項２に係る発明のコンロは、請求項１に記載の発明の構成に加え、前記爪部には、前記孔部の内縁部に係止する係止部が設けられている。
【０００８】
また、請求項３に係る発明のコンロは、請求項１又は２に記載の発明の構成に加え、前記下カバーには、前記操作パネルが出退する方向に延設されたガイド部が設けられ、前記操作パネルの底面には、前記ガイド部にガイドされる被ガイド部が設けられている。
【０００９】
また、請求項４に係る発明のコンロは、請求項１乃至３の何れかに記載の発明の構成に加え、前記下カバーには、前記操作パネルを前方に押し出すための弾性部材を収納するための溝部が設けられている。
【発明の効果】
【００１０】
請求項１に係るコンロでは、操作パネルを出退可能に保持する操作カバーを、前面及び底面が開口する箱状の上カバーと、板状の下カバーとで構成している。上カバーの左右の両側壁の下部に設けた爪部は、下カバーに設けた孔部に挿入されている。従って、操作ユニットがコンロ本体の内側に設置された状態では、孔部から下方に突出する爪部が、コンロ本体の内側の底面に接触する。これにより、コンロ本体の底面が撓んで変形していても、上カバーの爪部が底面に接触しているのみで、下カバーは底面に接触していないので、操作カバーへの影響を防止できる。つまり、操作カバーが変形し難いので、操作パネルの出退動作に不具合が生じるのを防止できる。
【００１１】
また、請求項２に係るコンロでは、請求項１に記載の発明の効果に加え、爪部に設けた係止部を、孔部の内縁部に係止させることができるので、上カバーと下カバーとを簡単に組み付けることができ、操作カバーを簡単に組み立てることができる。
【００１２】
また、請求項３に係るコンロでは、請求項１又は２に記載の発明の効果に加え、下カバーに設けたガイド部に沿って、操作パネルの底面に設けた被ガイド部がガイドされる。ガイド部は、操作パネルの出退方向に設けられているので、操作パネルを良好に出退させることができる。そして、コンロ本体の変形による影響を受けにくい下カバーにガイド部を設けているので、操作パネルの出退動作に不具合が生じるのを防止できる。
【００１３】
また、請求項４に係るコンロでは、請求項１乃至３の何れかに記載の発明の効果に加え、下カバーに設けた溝部に収納された弾性部材によって、操作パネルを前方に押し出すことができる。そして、コンロ本体の変形による影響を受けにくい下カバーに溝部を設けているので、弾性部材による操作パネルの押出動作に不具合が生じるのを防止できる。
【図面の簡単な説明】
【００１４】
【図１】ビルトインコンロ１の正面を示す斜視図である。
【図２】意匠パネル８を取り外したビルトインコンロ１の左側部分を拡大した斜視図である。
【図３】取付開口３から装置ユニット２０を取り外した状態を示す斜視図である。
【図４】操作ユニット２５の斜視図である。
【図５】操作ユニット２５の分解斜視図である。
【図６】操作ユニット２５の底面図である。
【発明を実施するための形態】
【００１５】
以下、本発明の一実施形態であるビルトインコンロ１について、図面を参照して説明する。図１に示すビルトインコンロ１は、図示外のシステムキッチンのカウンタトップに形成された開口に落とし込まれ、枠状の収納フレーム（図示外）にコンロ本体２が組み込まれることによって、システムキッチンに取り付けられるものである。
【００１６】
図１に示すように、ビルトインコンロ１は略直方体状のコンロ本体２を備えている。コンロ本体２の前面の略中央には、グリル庫から焼き網及び受け皿（図示外）を引き出すためのグリル扉５が設けられている。グリル扉５には取っ手５Ａが設けられている。グリル扉５の右側の中段位置には、各種バーナ（図示外）を点火するための点火スイッチ７１，７２が設けられている。グリル扉５の左側の中段位置にも、各種バーナ（図示外）を点火するための点火スイッチ８１，８２が設けられている。
【００１７】
コンロ本体２の前面の右側には、コンロ本体２の前面の右側を装飾・保護するための意匠パネル７が取り付けられている。意匠パネル７は、点火スイッチ７１，７２の上側に取り付けられる第１パネル１１と、点火スイッチ７１，７２の下側に取り付けられる第２パネル１２とから構成されている。第１パネル１１の上部に設けられたレバー用開口１７からは、各種バーナの火力を調節するために左右に回動する火力調節レバー９１，９２が突出している。第２パネル１２の裏側には、電源としての乾電池を収納するための電池ボックス（図示外）が設けられている。
【００１８】
一方、コンロ本体２の前面の左側にも、コンロ本体２の前面の左側を装飾・保護するための意匠パネル８が取り付けられている。意匠パネル８は、点火スイッチ８１，８２の上側に取り付けられる第１パネル１４と、点火スイッチ８１，８２の下側に取り付けられる第２パネル１５とから構成されている。第１パネル１４の上部に設けられたレバー用開口１８からは、各種バーナの火力を調節するために左右に回動する火力調節レバー９４，９５が突出している。
【００１９】
図２に示すように、コンロ本体２の前面の左側ににおいて、意匠パネル８を取り外すと、取付開口３（図３参照）の内側に組み込まれた装置ユニット２０が露出する。装置ユニット２０は、図３に示すように、点火スイッチ８１，８２等を支持するスイッチ取付部材３０と、その下側に取り付けられ、略直方体状の操作ユニット２５とから構成されている。操作ユニット２５は、各種バーナを操作するための操作パネル４５を前後方向に出退させる装置である。このような構成からなる装置ユニット２０の前面側に、意匠パネル８が取り付けられている。具体的には、スイッチ取付部材３０の前面側に第１パネル１４が取り付けられ、操作ユニット２５の操作パネル４５の前面に第２パネル１５が取り付けられている。
【００２０】
次に、操作ユニット２５の構造について詳細に説明する。図４，図５に示すように、操作ユニット２５は、略直方体状の操作パネル４５と、該操作パネル４５を前後方向に出退可能に保持する箱状の操作カバー４０とを備えている。操作ユニット２５には、操作パネル４５を一定速度で前方に押し出すための定荷重バネ装置１００（図４乃至図６参照）が設けられている。操作カバー４０は、図４，図５に示すように、前面、底面、背面が開口する箱状の上カバー５０と、該上カバー５０の底面側に取り付けられる板状の下カバー６０との２部品で構成されている。
【００２１】
まず、操作パネル４５の形状について、図５を参照して説明する。操作パネル４５は、所定厚を有する略直方体状に形成されている。その上面には、使用者がバーナを操作するための操作部４６が設けられている。操作パネル４５の右側面の略中段位置には、側方に向かって突出するガイドリブ４５Ａが前後方向に延出して設けられている。なお、操作パネル４５の左側面の略中段位置にも、側方に向かって突出する同様のガイドリブ（図示外）が設けられている。
【００２２】
また、図６に示すように、操作パネル４５の底面の後端側には、左右一対のガイドリブ４４，４４が互いに所定間隔を空けて前後方向に延出されて各々設けられている。これらガイドリブ４４，４４は、下カバー６０の後述する凹部６６の底面に設けられた一対のガイド孔６９，６９に差し込まれる。これにより、ガイドリブ４４，４４は、ガイド孔６９，６９に沿って移動する。
【００２３】
さらに、操作パネル４５の後部には、図５に示すように、操作パネル４５を一定速度で前方に押し出すための定荷重バネ装置１００が設けられている。定荷重バネ装置１００のドラム１０１からバネ１０２が引き出され、その先端に設けられた孔部１０３が、下カバー６０の先端に設けられた突出片６８に引っ掛けられている。これにより、操作パネル４５は、定荷重バネ装置１００のバネ１０２の弾性復帰力によって、一定速度で前方に押し出されるようになっている。
【００２４】
ところで、図６に示すように、操作パネル４５の後部において、定荷重バネ装置１００の左隣には、下カバー６０の後端部に設けられた後述するラッチ機構１２０に係止されるための被係止部材１０７が設けられている。操作パネル４５が、定荷重バネ装置１００の付勢力に抗し、操作カバー４０の奥側に押し込まれた状態で、被係止部材１０７にラッチ機構１２０が係止することで、ロック状態となる。この状態で、操作パネル４５が操作カバー４０の奥側に再度押し込まれると、ラッチ機構１２０による被係止部材１０７に対する係止が外れ、ロック状態が解除される。すると、定荷重バネ装置１００による付勢によって、操作パネル４５が一定速度で前方に押し出され、操作パネル４５の上面の操作部４６が露出する。
【００２５】
次に、上カバー５０の構造について、図５を参照して説明する。上カバー５０は、天壁５１と、その右端部から下方に向かって延設された右側壁５２と、左端部から下方に向かって延設された左側壁５３とから構成され、断面コの字型に形成されている。
【００２６】
右側壁５２の下端部には、下方に向けて突出する一対の爪部５５，５５が前後２カ所に各々設けられている。その爪部５５は、角部がテーパ状に加工された略長方形状に形成されている。各爪部５５には、後方に向かって略水平に切り欠いて形成され、後述する下カバー６０の係止孔６４の内縁部に係止するための係止溝５５Ａが設けられている。
【００２７】
左側壁５３の下端部にも、下方に向けて突出する一対の爪部５６，５６が前後２カ所に各々設けられている。その爪部５６には、角部がテーパ状に加工された略長方形状に形成されている。各爪部５６には、後方に向かって略水平に切り欠いて形成され、後述する下カバー６０の係止孔６５の内縁部に係止するための係止溝５６Ａが設けられている。
【００２８】
また、上カバー５０の右側壁５２の略中段位置には、上カバー５０の右側壁の内面に、後述する右ガイド部材４１を上カバー５０に固定するための一対の固定孔５７，５７が各々設けられている。左側壁５３の略中段位置にも、上カバー５０の左側壁の内面に、後述する左ガイド部材４２を上カバー５０に固定するための一対の固定孔５８，５８が各々設けられている。
【００２９】
そして、操作パネル４５の左右両側には、操作パネル４５を前後方向にガイドずるための板状の右ガイド部材４１及び左ガイド部材４２が起立して各々配置されている。右ガイド部材４１の操作パネル４５に向けられる内面の略下段位置には、操作パネル４５の右側面に設けられたガイドリブ４５Ａを前後方向にガイドするためのガイド溝４１Ａが設けられている。一方、左ガイド部材４２の操作パネル４５に向けられる内面の略下段位置にも、操作パネル４５の左側面に設けられたガイドリブ（図示外）を前後方向にガイドするためのガイド溝４２Ａが設けられている。
【００３０】
次に、下カバー６０の形状について、図５，図６を参照して説明する。下カバー６０は、平面視略長方形状に形成されている。下カバー６０の右端部には、略直角に上方に折り曲げて形成された折曲片６１が設けられ、左端部には、略直角に上方に折り曲げて形成された折曲片６２が設けられている。折曲片６１の折り曲げた角部には、上カバー５０の右側壁５２の下端部に設けられた爪部５５，５５を下方に突出させるための係止孔６４，６４が前後に各々設けられている。折曲片６２の折り曲げた角部にも、上カバー５０の左側壁５３の下端部に設けられた爪部５６，５６を下方に突出させるための係止孔６５，６５が各々設けられている。下カバー６０の前端部には、略直角に下方に折り曲げて形成された折曲片６７が設けられている。
【００３１】
また、下カバー６０の幅方向中央には、下方に向かって断面長方形状に窪んだ凹部６６が前後方向に延出して設けられている。凹部６６の前端側には、前方に向かって斜め上方に突出する突出片６８が設けられている。突出片６８には、上述した定荷重バネ装置１００のバネ１０２の先端に設けた孔部１０３が引っ掛けられている。
【００３２】
さらに、凹部６６の底面には、左右一対のガイド孔６９，６９が互いに所定間隔を空けて前後方向に各々延設されている。それらガイド孔６９，６９の各前端部には、略直角上方に起立する位置決め片６９Ａ，６９Ａが各々設けられている。このようなガイド孔６９，６９に対して、操作パネル４５の底面に設けられたガイドリブ４４，４４が差し込まれ、ガイドリブ４４，４４がガイド孔６９，６９に沿って移動する。そして、位置決め片６９Ａ，６９Ａに対して、操作パネル４５の底面に設けたガイドリブ４４，４４の前端部が当接することによって、操作パネル４５が「引き出し位置」に位置決めされる。なお、凹部６６の内側には、定荷重バネ装置４８のバネ１０２が収納されるので、操作パネル４５と下カバー６０との間を隙間無く設置でき、操作ユニット２５をコンパクトにできる。
【００３３】
次に、操作ユニット２５の組み立て方法について、図５を参照して説明する。まず、図６に示す下カバー６０の上面に操作パネル４５を載置する。このとき、下カバー６０に設けた一対のガイド孔６９，６９に、操作パネル４５の底面に設けたガイドリブ４４，４４を差し込む。次いで、右ガイド部材４１を操作パネル４５の右側面に当てる。このとき、操作パネル４５の右側面に設けたガイドリブ４５Ａに、右ガイド部材４１のガイド溝４１Ａを当てる。一方、左ガイド部材４２を操作パネル４５の左側面に当てる。このとき、操作パネル４５の左側面に設けたガイドリブ（図示外）に、左ガイド部材４２のガイド溝４２Ａを当てる。
【００３４】
次いで、下カバー６０に取り付けられた操作パネル４５と、右ガイド部材４１、左ガイド部材４２に対して、上カバー５０を被せる。このとき、上カバー５０の右側壁５２及び左側壁５３の各下部に設けられた爪部５５，５６を、下カバー６０に設けられた係止孔６４，６５に各々差し込む。さらに、爪部５５，５６を係止孔６４，６５に差し込んだ状態で、下カバー６０に対して上カバー５０を前方にスライドさせる。すると、爪部５５，５６に設けた係止溝５５Ａ，５６Ａに、係止孔６４，６５の内縁部が差し込まれる。こうして、上カバー５０が下カバー６０に取り付けられ、操作カバー４０が完成する。
【００３５】
さらに、上カバー５０が下カバー６０に取り付けられた状態で、上カバー５０の右側壁に設けた固定孔５７，５７からビス８５を差し込んで、右ガイド部材４１を上カバー５０の右側壁の内面に固定する。一方、上カバー５０の左側壁に設けた固定孔５８，５８からビス８５を差し込み、左ガイド部材４２を上カバー５０の左側壁の内面に固定する。これにより、操作パネル４５は、下カバー６０に設けたガイド孔６９，６９と、右ガイド部材４１に設けたガイド溝４１Ａ、左ガイド部材４２に設けたガイド溝４２Ａに沿って、前後方向に移動できる。
【００３６】
そして、操作パネル４５を、定荷重バネ装置４８のバネ１０２の付勢力に抗して、操作カバー４０の奥側に押し込む。すると、操作パネル４５の後部に設けた被係止部に、ラッチ機構１２０が係止する。これにより、操作パネル４５は、操作カバー４０に収納された状態で保持される。こうして、操作ユニット２５の組み立てが完了する。完成した操作ユニット２５の上部に、スイッチ取付部材３０を取り付けて装置ユニット２０を完成させる。完成した装置ユニット２０は、コンロ本体２の取付開口３の内側に組み込んで取り付ける。
【００３７】
次に、コンロ本体２の底面４に生じる撓みが、操作ユニット２５に与える影響について説明する。図２に示すように、コンロ本体２の取付開口３の内側に、装置ユニット２０を取り付けた状態では、操作ユニット２５の下カバー６０から下方に突出した爪部５５，５６（図３参照）が、コンロ本体２の底面４の上面（図３参照）に接触する。つまり、操作ユニット２５の下カバー６０が面接触するのではなく、爪部５５，５６が点接触することで、操作ユニット２５が支持されている。
【００３８】
これにより、コンロ本体２の底面４が、板金の絞りや曲げ等によって多少撓んでいる場合でも、４つの爪部５５，５６において、底面４の撓みに応じて、爪部５５，５６と底面４との間に隙間を各々生じさせることによって、底面４の撓みを吸収できるので、操作カバー４０が変形するのを防止できる。さらに、爪部５５，５６は、下カバー６０の一部ではなく、上カバー５０の一部であるので、下カバー６０は、底面４の撓みの影響をさらに受けにくい。つまり、操作ユニット２５においては、下カバー６０が最も変形し難い構造になっている。そのような下カバー６０に、操作パネル４５をガイドするためのガイド孔６９，６９を設けているので、操作パネル４５の出退動作に不具合を生じるのを防止できる。
【００３９】
また、爪部５５，５６に、下カバー６０に取り付けるための係止溝５５Ａ，５６Ａを各々設けているので、上カバー５０と下カバー６０の取り付けを容易にできる。
【００４０】
以上説明したように、本実施形態のビルトインコンロ１では、コンロ本体２の左側に、操作ユニット２５が組み込まれている。操作ユニット２５は、操作パネル４５と、該操作パネル４５を前後方向に出退可能に保持する箱状の操作カバー４０と、該操作カバー４０に設けられ、操作パネル４５を一定速度で前方に押し出すための定荷重バネ装置１００とを備えている。
【００４１】
操作カバー４０は、前面、底面、背面が開口する箱状の上カバー５０と、該上カバー５０の底面側に取り付けられる板状の下カバー６０との２部品で構成されている。上カバー５０を、下カバー６０に取り付けられた操作パネル４５に被せ、上カバー５０の右側壁５２及び左側壁５３の下部に設けられた各爪部５５，５６を、下カバー６０に設けられた係止孔６４，６５に各々差し込み、下カバー６０に対して上カバー５０を前方にスライドさせる。すると、爪部５５，５６に設けた係止溝５５Ａ，５６Ａに、係止孔６４，６５の内縁部が差し込まれる。
【００４２】
こうして、上カバー５０が下カバー６０に取り付けられる。そして、コンロ本体２の取付開口３の内側に、操作ユニット２５が取り付けられた状態では、操作ユニット２５の下カバー６０から下方に突出した爪部５５，５６が、コンロ本体２の底面４の上面に接触する。つまり、操作ユニット２５の下カバー６０が面接触するのではなく、爪部５５，５６が点接触することで、操作ユニット２５が支持されている。これにより、コンロ本体２の底面４が、板金の絞りや曲げ等によって多少撓んでいる場合でも、その撓みが、操作ユニット２５の操作カバー４０に与える影響を小さくできるので、操作カバー４０が変形するのを防止できる。
【００４３】
なお、本発明は、上記実施形態に限定されることなく、種々の変更が可能であることは言うまでもない。例えば、上記実施形態では、操作ユニット２５の底面側から４本の爪部を下方に突出させたが、爪部の本数はこれに限定されない。
【００４４】
さらに、上記実施形態では、爪部５５，５６に係止溝５５Ａ，５６Ａを設けたが、例えば、爪部に係止部を設けずに、上カバー５０と下カバー６０とを互いにビス等で固定するようにしてもよい。
【００４５】
また、上記実施形態では、操作ユニット２５がコンロ本体２の前面の左側、電池ボックス（図示外）が右側に設けられているが、操作ユニット２５を右側、電池ボックスが左側であってもよい。
【００４６】
また、上記実施形態では、本発明をビルトインコンロに適用した場合について説明したが、その他にも、テーブルコンロ、給湯器、フライヤー等の各種加熱調理器にも適用可能である。
【符号の説明】
【００４７】
１  ビルトインコンロ
２  コンロ本体
４  底面
２５  操作ユニット
４０  操作カバー
４４  ガイドリブ
４５  操作パネル
４６  操作部
４８  定荷重バネ装置
５０  上カバー
５１  天壁
５２  右側壁
５３  左側壁
５５  爪部
５５Ａ  係止溝
５６  爪部
５６Ａ  係止溝
５７  固定孔
５８  固定孔
６０  下カバー
６４  係止孔
６５  係止孔
６６  凹部
６８  突出片
６９  ガイド孔
１００  定荷重バネ装置
１０１  ドラム
１０２  バネ
１０３  孔部
【図１】
2011052840.tif 000003
【図２】
2011052840.tif 000004
【図３】
2011052840.tif 000005
【図４】
2011052840.tif 000006
【図５】
2011052840.tif 000007
【図６】
2011052840.tif 000008